(57)【要約】【課題】  焦点検出装置による合焦位置を変更可能にする。【解決手段】  操作部材により合焦位置をずらす量と方向を設定し、それらを合焦位置ずらし情報記憶手段に記憶しておき、焦点検出手段により検出した合焦位置から合焦位置ずらし情報記憶手段に記憶されているずらし量と方向へずらした位置に撮影レンズを駆動する。【選択図】  図２
2005173204.tif 000002
【特許請求の範囲】
【請求項１】
撮影レンズの合焦位置を検出する焦点検出手段と、
合焦位置をずらす量と方向を設定する操作部材と、
前記操作部材により設定された合焦位置のずらし量と方向を記憶する合焦位置ずらし情報記憶手段と、
前記焦点検出手段により検出された合焦位置から前記合焦位置ずらし情報記憶手段に記憶されているずらし量と方向へずらした位置に前記撮影レンズを駆動する焦点調節手段とを備えることを特徴とするカメラ。
【請求項２】
請求項１に記載のカメラにおいて、
前記撮影レンズはカメラに着脱可能な鏡筒内に収納されており、その鏡筒内にシリアル番号を記憶するレンズ情報記憶手段を備え、
前記合焦位置ずらし情報記憶手段は、前記撮影レンズ鏡筒のシリアル番号と前記操作部材により設定された合焦位置のずらし量および方向とを１組にして記憶することを特徴とするカメラ。
【請求項３】
請求項２に記載のカメラにおいて、
前記焦点調節手段は、装着されている前記撮影レンズ鏡筒のシリアル番号に対応する合焦位置のずらし量と方向を前記合焦位置ずらし情報記憶手段から読み出し、そのずらし量と方向へずらした位置に前記撮影レンズを駆動することを特徴とするカメラ。
【発明の詳細な説明】
【技術分野】
【０００１】
本発明は、焦点検出装置により検出した合焦位置を変更可能にしたカメラに関する。
【背景技術】
【０００２】
位相差検出方式の焦点検出装置では、焦点検出光学系やイメージセンサーの寸法誤差や製造誤差などによって、合焦時における一対の像ずれ量がカメラごとに設計値からずれるという問題がある。
そこで、合焦時におけるカメラ固有の設計値からの像ずれ量を不揮発性メモリに記憶しておき、焦点検出結果の一対の像ずれ量から記憶されているカメラ固有の像ずれ量を補正することによって、カメラごとの調整が不要で高精度の焦点検出を可能にしたカメラが知られている（例えば、特許文献１参照）。
【０００３】
この出願の発明に関連する先行技術文献としては次のものがある。
【特許文献１】特開昭６３−３０５３ｌ３号公報
【発明の開示】
【発明が解決しようとする課題】
【０００４】
しかしながら、近年、カメラの性能が向上するにつれて、合焦位置をより高精度に調整したり、あるいは合焦位置を前ピン傾向や後ピン傾向というように任意に変更したいという要望が増加している。
【課題を解決するための手段】
【０００５】
（１）  請求項１の発明は、撮影レンズの合焦位置を検出する焦点検出手段と、合焦位置をずらす量と方向を設定する操作部材と、操作部材により設定された合焦位置のずらし量と方向を記憶する合焦位置ずらし情報記憶手段と、焦点検出手段により検出された合焦位置から合焦位置ずらし情報記憶手段に記憶されているずらし量と方向へずらした位置に撮影レンズを駆動する焦点調節手段とを備えることを特徴とする。
（２）  請求項２のカメラは、撮影レンズはカメラに着脱可能な鏡筒内に収納されており、その鏡筒内にシリアル番号を記憶するレンズ情報記憶手段を備え、合焦位置ずらし情報記憶手段によって、撮影レンズ鏡筒のシリアル番号と操作部材により設定された合焦位置のずらし量および方向とを１組にして記憶するようにしたものである。
（３）  請求項３のカメラは、焦点調節手段によって、装着された前記撮影レンズ鏡筒の前記レンズ情報記憶手段に記憶されているシリアル番号に対応する合焦位置のずらし量と方向を前記合焦位置ずらし情報記憶手段から読み出し、そのずらし量と方向へずらした位置に前記撮影レンズを駆動するようにしたものである。
【発明の効果】
【０００６】
本発明によれば、撮像結果を確認しながら合焦位置をより高精度に調整することができるとともに、合焦位置を前ピン傾向や後ピン傾向というように好みに応じて任意にずらすことができる。
【発明を実施するための最良の形態】
【０００７】
一眼レフレックスカメラを例に上げて一実施の形態を説明する。なお、本願発明は銀塩フィルムを用いて撮像するフィルムカメラはもちろんのこと、ＣＣＤやＣＭＯＳなどの撮像素子を用いて撮像するデジタルカメラにも適用することができる。また、本願発明は一眼レフレックスカメラに限定されず、パッシブ方式やアクティブ方式のオートフォーカス装置を備えたコンパクトカメラや他のあらゆる種類のカメラに適用することができる。
【０００８】
図１は一実施の形態の構成を示す。カメラボディ１には着脱可能なレンズ鏡筒２がレンズマウント３を介して装着されている。カメラボディ１にはカメラマイコン４が装備されており、カメラの各種制御と各種演算を実行する。焦点検出装置５はレンズ鏡筒２のフォーカシングレンズ６の焦点調節状態を検出する装置であり、測光装置７は被写体の輝度を測定する装置である。また、不揮発性メモリ８は後述する“合焦位置のずらし量と方向”などのカメラの各種設定値や調整値、データを記憶するメモリである。
【０００９】
メインスイッチ１０はカメラの電源を入り切りするためのスイッチ、撮影モードスイッチ１１はカメラの各種撮影モードを切り替えるためのスイッチである。半押しスイッチ１２はシャッターレリーズボタン（不図示）の半押し状態でオンするスイッチであり、このスイッチ１２がオンするとカメラは焦点調節動作と測光動作を実行する。レリーズスイッチ１３はシャッターレリーズボタンの全押し状態でオンするスイッチであり、このスイッチ１３がオンするとカメラは撮影動作を実行する。
【００１０】
合焦位置調整スイッチ１４は、フォーカシングレンズ６の合焦位置を任意の量および方向にずらすためのスイッチである。コマンドダイヤル１５はカメラの各種設定値や調整量を変更するためのダイヤルである。例えば、合焦位置調整スイッチ１４を押しながらコマンドダイヤル１５を回転させると、回転方向と回転量に応じて前ピン側または後ピン側に合焦位置をずらすことができる。
【００１１】
通信用信号接点１６は、カメラボディ１にレンズ鏡筒２が装着されたときにレンズ鏡筒２側の通信用信号接点１７と機械的および電気的に接続され、カメラボディ１のカメラマイコン４とレンズ鏡筒２のレンズマイコン１８がこれらの通信用信号接点１６、１７を介して通信を行う。
【００１２】
レンズ鏡筒２のレンズマイコン１８はレンズ鏡筒２内の各種制御と演算を実行する。不揮発性メモリ１９は後述する“シリアル番号”などのレンズの各種調整値やデータを記憶するメモリである。モーター２０はフォーカシングレンズ６の合焦駆動を行うモーターであり、エンコーダ２１はフォーカシングレンズ６の位置を検出するための位置検出器である。
【００１３】
図２は一実施の形態のカメラの動作を示すフローチャートである。カメラマイコン４はメインスイッチ１０によりカメラに電源が投入されると、この動作を繰り返し実行する。ステップ１において合焦位置調整スイッチ１４の操作を確認し、合焦位置調整スイッチ１４がオンしているときはステップ２へ進み、オフしたままであればステップ５へ進む。
【００１４】
合焦位置調整スイッチ１４がオンしているときは、ステップ２でコマンドダイヤル１５により設定された合焦位置のずらし量（ずらす方向を含む）を読み込む。ここで、例えばコマンドダイヤル１５を１クリックするたびに焦点検出装置５で検出した合焦位置から１ミクロンずつ合焦位置がずれる。また、コマンドダイヤル１５を右回転すると合焦位置が前ピン側にずれ、左回転すると合焦位置が後ピン側にずれる。
【００１５】
なお、設定した合焦位置のずらし量とその方向の良し悪しは実際の撮像結果を見て確認する。例えばフィルカメラであればプリントした写真を見て確認し、デジタルカメラであれば高精度なディスプレイに撮像画像を表示して確認する。
【００１６】
ステップ３では合焦位置調整スイッチ１４がオフしたか否かを確認し、オフしたらステップ４へ進み、オンのままであればステップ２へ戻って合焦位置のずらし量の読み込みを続ける。合焦位置調整スイッチ１４がオフしたときは、ステップ４でコマンドダイヤル１５により設定された合焦位置ずらし量（ずらす方向を含む）をカメラ側の不揮発性メモリ８へ記憶する。このとき、レンズマイコン１８と通信を行ってレンズ側の不揮発性メモリ１９に記憶されているレンズ鏡筒２のシリアル番号を読み込み、レンズ鏡筒２のシリアル番号と合焦位置ずらし量とを１組にして記憶する。
【００１７】
ステップ５においてシャッターレリーズボタン（不図示）の半押し操作を確認し、半押しスイッチ１２がオンしているときはステップ６へ進み、オンしていないときはステップ１へ戻る。半押しスイッチ１２がオンしているときは、ステップ６で、レンズマイコン１８と通信を行ってレンズ側の不揮発性メモリ１９に記憶されているレンズ鏡筒２のシリアル番号を読み込み、カメラ側の不揮発性メモリ８に記憶されている合焦位置ずらし量の中から現在装着されているレンズ鏡筒２のシリアル番号に対応する合焦位置ずらし量を読み出す。
【００１８】
続くステップ７では焦点検出装置５によりフォーカシングレンズ６の焦点調節状態を検出し、検出結果のデフォーカス量に不揮発性メモリ８から読み出した合焦位置ずらし量を加算してレンズ駆動量を演算する。そして、レンズ駆動量をレンズマイコン１８へ出力し、モーター２０によるフォーカシングレンズ６の焦点調節を行わせる。これにより、焦点検出装置５により検出した合焦位置からずらし量とその方向にずれた位置にフォーカシングレンズ６の焦点調節が行われる。
【００１９】
焦点調節後のステップ８で測光装置７により測光を行い、測光結果に基づいて露出値を演算する。ステップ９においてシャッターレリーズボタンの操作を確認し、レリーズスイッチ１３がオンしているときはステップ１０へ進み、そうでなければステップ１へ戻る。レリーズスイッチ１３がオンしているときは、ステップ１０で一連の撮像動作を実行する。すなわち、フィルムカメラであれば、露出値にしたがってシャッターと絞り（不図示）を作動させてフィルムを露光したのち、フィルム給送装置（不図示）によりフィルムを１コマ巻き上げる。一方、デジタルカメラであれば、露出値にしたがって絞り（不図示）を作動させて撮像素子により撮像を行った後、記憶装置（不図示）に撮像データを記録する。
【００２０】
このように、合焦位置調整スイッチ１４とコマンドダイヤル１５により合焦位置をずらす量と方向を設定し、それらをカメラ側の不揮発性メモリ８に記憶しておき、焦点検出装置５により検出された合焦位置から不揮発性メモリ８に記憶されているずらし量と方向へずらした位置にフォーカシングレンズ６を駆動するようにしたので、撮像結果を確認しながら合焦位置をより高精度に調整することができるとともに、合焦位置を前ピン傾向や後ピン傾向というように好みに応じて任意にずらすことができる。
【００２１】
また、一実施の形態によれば、レンズ鏡筒２内にシリアル番号を記憶する不揮発性メモリ１９を備え、レンズ鏡筒２のシリアル番号と合焦位置のずらし量および方向とを１組にしてカメラ側の不揮発性メモリ８に記憶するようにしたので、異なる種類の撮影レンズを交換しながら撮影を行う場合でも、撮影レンズごとに合焦位置のずらし量と方向を設定することができる。
【００２２】
さらに、一実施の形態によれば、装着されているレンズ鏡筒２のシリアル番号に対応する合焦位置のずらし量と方向をカメラ側の不揮発性メモリ８から読み出し、焦点検出装置５により検出された合焦位置からずらし量と方向へずらした位置にフォーカシングレンズ６を駆動するようにしたので、撮影レンズごとに合焦位置をより高精度に調整できるとともに、撮影レンズごとに合焦位置を好みに応じて任意にずらすことができる。
【００２３】
特許請求の範囲の構成要素と一実施の形態の構成要素との対応関係は次の通りである。すなわち、焦点検出手段として一実施の形態では焦点検出装置５を用いた例を示したが、焦点検出手段には位相差検出方式の焦点検出装置の他に、パッシブ方式やアクティブ方式の外光式測距装置、超音波式の測距装置など、撮影レンズの焦点調節状態を検出するあらゆる焦点検出装置および測距装置を用いることができる。また、合焦位置のずらし量と方向を設定する操作部材として一実施の形態では合焦位置調整スイッチ１４とコマンドダイヤル１５を用いた例を示したが、他のスイッチを用いてもよい。例えばカメラの調整メニューの中から合焦位置調整モードを選択し、コマンドダイヤルによりずらし量と方向を設定するようにしてもよい。
【００２４】
また、合焦位置ずらし情報記憶手段として一実施の形態では不揮発性メモリ８を用いた例を示したが、例えばバッテリーバックアップメモリなどを用いてもよい。さらに、焦点調節手段として一実施の形態ではカメラマイコン４、レンズマイコン１８およびモーター２０により構成される例を示したが、撮影レンズの焦点調節を行う手段は一実施の形態に例示した構成に限定されない。さらにまた、レンズ情報記憶手段として一実施の形態では不揮発性メモリ１９を用いた例を示したが、例えばバッテリーバックアップメモリやＲＯＭを用いてもよい。なお、本発明の特徴的な機能を損なわない限り、各構成要素は上記構成に限定されるものではない。
【００２５】
なお、上述した一実施の形態では、レンズ鏡筒２の不揮発性メモリ１９に記憶されているレンズ鏡筒２のシリアル番号をレンズ鏡筒２を識別するためのＩＤとして利用し、そのレンズ鏡筒２の合焦位置のオフセット量と１組にして記憶する例を示したが、レンズ鏡筒のシリアル番号の利用方法は上述した一実施の形態の利用方法に限定されず、撮像に用いたレンズ鏡筒を識別するためのＩＤとして撮像データと組み合わせて記憶するようにしてもよいし、レンズ鏡筒のシリアル番号をデジタルスチルカメラの画像改ざん防止用のキーとしてもよい。
【図面の簡単な説明】
【００２６】
【図１】一実施の形態の構成を示す図である。
【図２】一実施の形態の動作を示すフローチャートである。
【符号の説明】
【００２７】
１  カメラボディ
２  レンズ鏡筒
３  レンズマウント
４  カメラマイコン
５  焦点検出装置
６  フォーカシングレンズ
７  測光装置
８  不揮発性メモリ
１０  メインスイッチ
１１  撮影モードスイッチ
１２  半押しスイッチ
１３  レリーズスイッチ
１４  合焦位置調整スイッチ
１５  コマンドダイヤル
１６、１７  通信用信号接点
１８  レンズマイコン
１９  不揮発性メモリ
２０  モーター
２１  エンコーダー
【図１】
2005173204.tif 000003
【図２】
2005173204.tif 000004